【手続補正書】
【提出日】平成27年4月10日(2015.4.10)
【手続補正１】
【補正対象書類名】特許請求の範囲
【補正対象項目名】全文
【補正方法】変更
【補正の内容】
【特許請求の範囲】
【請求項１】
少なくとも１つの付加ガス（Ｇｎ）を吸気ガスＧ０に付加して被験体に送出する呼吸ガス（ＧＲ）を生成する装置であって、
前記装置は、
前記ＧＲの量において付加ガスＧｎにおける少なくとも１つの成分（ＤＡｎ）の目標濃度（ＤＡｎＴ）を維持するための制御システムを含み、
前記制御システムは、
Ａ）次の（ａ）及び（ｂ）を取得するように構成された入力手段と、
（ａ）対象時点について、被験体に流れるＧ０又はＧＲの確定増分量の入力、
（ｂ）対象時点について、被験体に流れるＧｎ又は純ＤＡｎの確定増分量の入力、
Ｂ）対象の連続する時点の間の連続するそれぞれの時間間隔について、ＤＡｎの累積量がＤＡｎＴと等しくなるように、それぞれの時間間隔について吸気可能とするＧｎの量を示すエラー信号（ｅｎ）を算定するように構成されるプロセッサと、
Ｃ）実際のＤＡｎの累積量が目標ＤＡｎＴに達するように制御されるように、それぞれの時間間隔について算定されたｅｎに基づいてそれぞれの時間間隔について気体送出装置（ＧＤｎ）に出力信号を出力するように構成されるコントローラと、
を動作可能に関連づける、装置。
【請求項２】
前記入力手段は、少なくとも１つの容積センサを含む、請求項１に記載の装置。
【請求項３】
前記プロセッサは、それぞれのＴｃｕｒｒｅｎｔである対象時点を含むそれぞれの累積時間間隔についてのＧ０の増分量（ＣＶＧ０）及びＧＲの増分量（ＣＶＧＲ）の少なくとも一方、並びに、対象時点を含むそれぞれの累積時間間隔についてのＧｎ（ＣＶＧｎ）の増分量を算定するように構成される、請求項２に記載の装置。
【請求項４】
それぞれのＴｃｕｒｒｅｎｔについての前記ＧＤｎへの出力を、それぞれのＴｃｕｒｒｅｎｔについてのｅｎの加重和及びそれぞれのＴｃｕｒｒｅｎｔについてのｅｎの積分から生成する、請求項１〜３のいずれか一項に記載の装置。
【請求項５】
前記ＧＤｎを、ＰＩ又はＰＩＤコントローラを用いて制御する、請求項４に記載の装置。
【請求項６】
前記プロセッサは、再設定可能なＴｓｔａｒｔから開始し、対象の直近の時点Ｔｃｕｒｒｅｎｔと等しくされた増分的に進む時点（Ｔｅｎｄ）で終了する累積時間期間（Ｔｖａｒｉａｂｌｅ）を定義する時点を累積するように構成され、前記ＧＤｎに送出される信号を、
ａ）前記コントローラの前記出力、及び
ｂ）それぞれのＴｃｕｒｒｅｎｔと次の時点Ｔｃｕｒｒｅｎｔ＋との間の時間間隔ΔΤにおいて送出されることが期待されるＧ０の増分量（Ｇ０Ｐ）、
に基づいて算定する、請求項５に記載の装置。
【請求項７】
それぞれのＴｃｕｒｒｅｎｔに対応する前記時間間隔ΔΤにおいて送出されると期待されるＧ０の期待される増分量は、それぞれのＴｃｕｒｒｅｎｔにて送出されるＧ０の増分量、又は、Ｔｖａｒｉａｂｌｅ内の複数の時点において送出されるＧ０の増分量の加重平均と等しい、請求項６に記載の装置。
【請求項８】
それぞれのＴｃｕｒｒｅｎｔに対応する前記Ｔｖａｒｉａｂｌｅが、対象のＧ０の累積容積量、対象のＧＲの累積容積量、外部事象により定義される時点の集合、吸気サイクルの一部、吸気サイクルの全体、又は、複数の吸気サイクルの部分若しくは全体からなるシリーズに相当する時点の集合に基づいて選択可能である、請求項６又は７に記載の装置。
【請求項９】
前記ＧＤｎが比例制御バルブである、請求項１〜８のいずれか一項に記載の装置。
【請求項１０】
Ｇｎの累積量（ＣＶＧｎ）及びＧ０の累積量（ＣＶＧ０）又はＧＲの累積量（ＣＶＧＲ）の入力は、容積センサ（ＶＳ）の集合から取得され、好ましくは、各容積センサは、流量計及びガス分析器の少なくとも一方から選択され、ＣＶＧｎ及びＣＶＧ０又はＣＶＧＲの入力は、前記容量センサ（ＶＳ）からの出力を処理するコンピュータから取得される、請求項１〜９のいずれか一項に記載の装置。
【請求項１１】
Ｇｎ送出導管と、気体送出手段ＧＤｎと、容積コントローラＶＣｎとを備え、
前記容積コントローラは、任意選択的にマイクロコントローラである、請求項１０に記載の装置。
【請求項１２】
任意のＴｃｕｒｒｅｎｔに適用可能なＧｎにおけるＤＡｎの濃度をガス分析器によって判定する、請求項３〜１１のいずれか一項に記載の装置。
【請求項１３】
（Ａ）少なくとも１つの所望の成分ガスＤＡｎからなるか又はそれを含む付加ガスＧｎを、前記Ｇ０と協働的に、被験体に導くＧｎ導向手段と、
（Ｂ）Ｇｎの変動可能な増分量を送出するために付加ガス送出導管と協働する気体送出装置／手段（ＧＤｎ）と、
（Ｃ）それぞれの時点Ｔｃｕｒｒｅｎｔにて送出されるＧｎの実増分量を判定する装置と協働する容積センサ（ＶＳ）と、
（Ｄ）
ａ）前記ＧＲの量においてＤＡｎ目標濃度（ＤＡｎＴ）の入力を受信する、又はその入力を記憶すること、
ｂ）任意選択的に、それぞれの時点Ｔｃｕｒｒｅｎｔに適用可能なＧｎにおけるＤＡｎの濃度に翻訳可能なデータの入力を受信する、又はその入力を記憶すること、
ｃ）前記ＶＳからの出力を受信すること、
ｄ）それぞれの時点Ｔｃｕｒｒｅｎｔにて送出されるＧ０又はＧＲの増分量からなるデータ、又はそれに翻訳可能なデータを受信すること、
ｅ）それぞれのＴｃｕｒｒｅｎｔについて、それぞれの対象時点Ｔｃｕｒｒｅｎｔの群においてＧ０と協働して送出（出力）されるＧｎ（又はＤＡｎ）の実増分量の合計と等しくされたＧｎの累積量（ＣＶＧｎ）（又はＤＡｎの累積量（ＣＶＧＤＡｎ））を算定すること、
ｆ）ＤＡｎＴを維持することが求められる、それぞれの対象時点Ｔｃｕｒｒｅｎｔの群における全てのＧ０又はＧＲの増分量の合計を含む累積量について、Ｇ０の累積量（ＣＶＧ０）又はＧＲの累積量（ＣＶＧＲ）を算定するかその入力を受信すること、
ｇ）任意のそれぞれのＴｃｕｒｒｅｎｔについて、ＤＡｎの累積量がＤＡｎＴと等しくなるように前記被験体へＧ０と協働して送出されなければならないＧｎの量又はＤＡｎの量と等しいエラー信号（ｅｎ）を算定すること、
ｈ）任意のそれぞれのＴｃｕｒｒｅｎｔについて、それぞれのＴｃｕｒｒｅｎｔについて算定されたｅｎに基づいて出力をＧＤｎに出力して、ＤＡｎの実累積量を目標ＤＡｎＴに達するように制御すること、
を実行するようにプログラミングされたコンピュータと、
を含む、請求項１１に記載の装置。
【請求項１４】
それぞれのＴｃｕｒｒｅｎｔについて定義される前記それぞれの対象時点の群が、再設定可能なＴｓｔａｒｔから開始し、それぞれのＴｃｕｒｒｅｎｔと等しくされた増分的に進む時点（Ｔｅｎｄ）で終了する累積時間期間（Ｔｖａｒｉａｂｌｅ）を定義づけ、それぞれのＴｃｕｒｒｅｎｔについての前記ＧＤｎへの信号は、
ａ）前記ＶＣｎの出力、及び
ｂ）任意選択的に前記ＶＣｎの出力を、Ｇ０の増分量（Ｇ０Ｐ）及びＧｎの増分量（ＧｎＰ）の統合量におけるＤＡｎの増分量がＤＡｎＴと等しくなるようにＧｎＰに付加されなければならないＧｎの量に付加することで、それぞれのＴｃｕｒｒｅｎｔ（Ｔｅｎｄ）と次の時点Ｔｃｕｒｒｅｎｔ＋との間の時間間隔ΔΤにおいて送出されることが期待されるＧ０Ｐ
に基づいて算定される、請求項１３に記載の装置。
【請求項１５】
少なくとも１つの付加ガス（Ｇｎ）を吸気ガスＧ０に付加して被験体に送出する呼吸ガス（ＧＲ）を生成する方法であって、
前記方法は、
前記ＧＲの量において付加ガスＧｎにおける少なくとも１つの成分（ＤＡｎ）の目標濃度（ＤＡｎＴ）を維持することを含み、
ＤＡｎＴは、
（ａ）それぞれの対象時点について、被験体が吸気可能なＧ０及び／又はＧＲの確定増分量の入力を取得すること、
（ｂ）それぞれの対象時点について、被験体が吸気可能なＧｎの確定増分量の入力を取得すること、
（ｃ）必要に応じて、それぞれの対象時点について、Ｇ０及び／又はＧＲ及び／又はＧｎ中のＤＡｎの濃度の入力を取得すること、
当該取得された前記入力は、一連の、連続する対象時点間の各時間間隔について、ＤＡｎの累積量がＤＡｎＴと等しくなるように、被験体に送出しなければならないＧｎの増分量を示すｅｎを算出するために累積的に十分であり、
ｄ）連続する対象時点間の各時間間隔についてｅｎを算定すること、
ｅ）前記ＤＡｎ累積量が目標ＤＡｎＴに達するように制御されるように、それぞれの時間間隔について算定されたｅｎに基づいて、それぞれの時間間隔にて気体送出装置（ＧＤｎ）に出力信号を出力すること
によって維持される、方法。
【請求項１６】
Ｇ０及び／又はＧＲの確定増分量の入力は、それぞれのＴｃｕｒｒｅｎｔである対象時点を含むそれぞれの累積時間間隔について算定されたＧ０の累積量（ＣＶＧ０）及び／又はＧＲの累積量（ＣＶＧＲ）の形で取得され、Ｇｎの確定増分量の入力は、対象時点を含むそれぞれの累積時間間隔について算定されたＧｎの累積量（ＣＶＧｎ）の形で取得される、請求項１５に記載の方法。
【請求項１７】
前記ＧＤｎを、ＰＩ又はＰＩＤコントローラを用いて制御する、請求項１５または１６に記載の方法。
【請求項１８】
プロセッサは、
ａ）前記対象時点を含む前記それぞれの累積時間間隔についてのＧｎの累積量（ＣＶＧｎ）、Ｇ０の累積量（ＣＶＧ０）及び／又はＧＲの累積量（ＣＶＧＲ）と、
ｂ）前記Ｇｎ、Ｇ０及び／又はＧＲの累積量に基づくそれぞれの累積時間間隔についてのｅｎと
を算定するのに十分なＧｎ及びＧ０及び／又はＧＲの確定増分量を含む入力を取得し、
順番にＴｃｕｒｒｅｎｔとなる前記対象時点は、再設定可能なＴｓｔａｒｔから開始し、それぞれの直近のＴｃｕｒｒｅｎｔと等しくされた増分的に進む時点（Ｔｅｎｄ）で終了する累積時間期間（Ｔｖａｒｉａｂｌｅ）を定義づけて、それぞれのＴｃｕｒｒｅｎｔに対応するｅｎを前記時間期間Ｔｖａｒｉａｂｌｅにおいて送出されたＧｎ、Ｇ０及び／又はＧＲの各前記累積量を用いて、前記プロセッサによって算定される、請求項１５〜１７のいずれか一項に記載の方法。
【請求項１９】
前記ＧＤｎに送出される出力信号は、
ａ）コントローラ、任意選択的にＰＩ又はＰＩＤコントローラの出力、及び
ｂ）それぞれのＴｃｕｒｒｅｎｔと次の時点Ｔｃｕｒｒｅｎｔ＋との間の時間間隔ΔΤにおいて送出されることが期待されるＧ０の増分量（Ｇ０Ｐ）、
に基づいて算定される、請求項１６〜１８のいずれか一項に記載の方法。
【請求項２０】
前記ＧＤｎに送出される出力信号は、前記コントローラの出力と、Ｇ０Ｐ及びＧｎＰの統合量におけるＤＡｎの増分量がＤＡｎＴと等しくなるようにＧ０Ｐに付加されなければならないＧｎの量（ＧｎＰ）との合計に基づいて算定される、請求項１９に記載の方法。
【請求項２１】
前記Ｇ０Ｐが、Ｔｃｕｒｒｅｎｔ−で始まりそれぞれのＴｃｕｒｒｅｎｔで終わるΔΤにおいて送出されるＧ０増分量、又はＴｖａｒｉａｂｌｅ内の複数の対象時間間隔において送出されたＧ０の増分量の平均又は加重平均と等しくされる、請求項１９に記載の方法。
【請求項２２】
それぞれのＴｃｕｒｒｅｎｔに対応する前記Ｔｖａｒｉａｂｌｅが、対象のＧｎの容積量、対象のＤＡｎ、Ｇ０又はＧＲの容積量、外部事象により定義される時点の集合、吸気サイクルの一部、吸気サイクルの全体、又は、複数の吸気サイクルの部分若しくは全体からなるシリーズに相当する時点の集合に基づいて選択可能である、請求項１８〜２１のいずれか一項に記載の方法。
【請求項２３】
気体送出装置（ＧＤｎ）を制御するために、容積コントローラ（ＶＣｎ）と協働するプロセッサを使用して実行され、Ｇｎ及びＤＡｎの少なくとも一方の確定容積量並びにＧ０及びＧＲの少なくとも一方の確定容積量のそれぞれの入力がそれぞれ容積センサから取得され、任意の各Ｔｃｕｒｒｅｎｔに適用可能なＧｎにおけるＤＡｎの濃度の入力がガス分析器から取得される、請求項１６〜２２のいずれか一項に記載の方法。
【請求項２４】
ＤＡｎは、二酸化炭素である、請求項１５〜２３のいずれか一項に記載の方法。
【請求項２５】
ＤＡｎは、二酸化炭素である、請求項１〜１４のいずれか一項に記載の装置。